(57)【要約】本発明は、ベルト（１２）を形成する少なくとも１つの上部及びパンティ部（１４）を形成する部分を含むタイプの下半身用衣類（１０）に関し、ベルト（１２）が、中心軸（Ａ）の周囲に延びる階段状の環状の曲線形状を有し、軸方向上方に、着用者の関連するヒップ上方にフィットするように各々設計された少なくとも第１の側部（２０ａ）及び第２の側部（２０ｂ）、ならびに軸方向下部に、着用者の腹部の下に全体的に延びるように設計されている前部（２２）を含むことを特徴とする。【選択図】図２
2018502228.tif 000002
【特許請求の範囲】
【請求項１】
少なくとも１つの上部ベルト部（１２）及びパンティ部（１４）を形成する部分を含むタイプの下半身用衣類（１０）であって、
前記ベルト（１２）が、中心軸（Ａ）の周囲に延びる段階的な環状の曲線形状を有し、
軸方向上方に、着用者の関連するヒップ上方にフィットするように各々設計された少なくとも第１の側部（２０ａ）及び第２の側部（２０ｂ）と、軸方向下部に、前記着用者の腹部の下に全体的に延びるように設計されている前部（２２）を含むことを特徴とする、
前記下半身用衣類（１０）。
【請求項２】
前記ベルト（１２）の諸部分が、異なる弾性定数を有し、
前記ベルト（１２）の前記側部（２０ａ、２０ｂ）が、前記ベルト（１２）の前記前部（２２）が加える圧縮力より低い半径方向の圧縮力を前記着用者に加えることを特徴とする、
請求項１に記載の下半身用衣類（１０）。
【請求項３】
前記ベルト（１２）が、前記側部（２０ａ、２０ｂ）が加える圧縮力よりも大きい半径方向の圧縮力を前記着用者に加えるように設計された弾性定数を有する背部（２６）を有することを特徴とする、
先行請求項のいずれか１項に記載の下半身用衣類（１０）。
【請求項４】
前記パンティ部（１４）は、臀部用の背部（２８）と前部（３０）とを有し、
前記背部（２８）は、前記着用者に、前記前部（３０）が加える圧縮力よりも低い半径方向の圧縮力を加えるように設計されていることを特徴とする、
先行請求項のいずれか１項に記載の下半身用衣類（１０）。
【請求項５】
前記パンティ部（１４）に連結される第１のレッグ部（１６ａ）と第２のレッグ部（１６ｂ）を形成する下部を備え、
前記パンティ部（１４）が、前記パンティ部（１４）を形成する前記部分と、前記第１のレッグ部（１６ａ）及び前記第２のレッグ部（１６ｂ）それぞれとの間で、軸方向に介在する第１の支持バンド（３２ａ）と第２の支持バンド（３２ｂ）とを備え、
これらが前記着用者の前記臀部の下に配置されて、前記着用者の大腿部の上部に実質的に渡って半径方向の締付力を加えて前記衣類（１０）の前記レッグ部を支えるよう設計されていることを特徴とする、
先行請求項のいずれか１項に記載の下半身用衣類（１０）。
【請求項６】
各支持バンド（３２ａ、３２ｂ）が、全体的に、前記着用者の関連する脚の後部の周りに延びるように、前記着用者の前記臀部の下に配置されるように設計された半割リングを形成することを特徴とする、
請求項５に記載の下半身用衣類（１０）。
【請求項７】
トリコットで作られ、使用するメッシュの種類を変えることによって、異なる弾性定数が得られることを特徴とする、
先行請求項のいずれか１項に記載の下半身用衣類（１０）。
【請求項８】
対称の軸平面（Ｐ）に沿ってそれぞれ対称的に設計された第１の半体（１８ａ）及び第２の半体（１８ｂ）を含み、
前記第１の半体（１８ａ）と前記第２の半体（１８ｂ）は、第１のアセンブリ縁部（３４ａ）と第２のアセンブリ縁部（３４ｂ）をそれぞれ画定し、各々が前記対称の平面（Ｐ）に沿って軸方向に延び、前記パンティ部（１４）を形成する部分の中央で、前記アセンブリ縁部は異なる弾性を有する前側のシーム（３６）と背側のシーム（３８）とによって前記衣類（１０）を形成するように互いに連結され、
前記前側のシーム（３６）は、前記背側のシーム（３８）の半径方向の圧縮力よりも大きな前記半径方向の圧縮力を加えるよう設計されることを特徴とする、
先行請求項のいずれか１項に記載の下半身用衣類（１０）。
【請求項９】
前記前側のシーム（３６）は、前記背側のシーム（３８）のステッチ密度よりも低いステッチ密度を有することを特徴とする、
先行請求項のいずれか１項に記載の下半身用衣類（１０）。
【請求項１０】
前記衣類（１０）がタイツであることを特徴とする、
先行請求項のいずれか１項に記載の下半身用衣類（１０）。
【発明の詳細な説明】
【技術分野】
【０００１】
本発明は、解剖学的構造に合うベルトを含む、身体の下側の部分用の下着タイプの衣類に関する。
【０００２】
本発明は、好ましくは、着用者の皮膚に接するように着用し、身体の下側の部分を覆う任意の衣料品があてはまる。
【０００３】
例として、衣類は、パンティ、カプリパンツ、トレンカなどがあり得る。
【０００４】
しかし、本発明はより詳細にはタイツがあてはまる。
【背景技術】
【０００５】
タイツ型の衣料品は、審美的理由または着用者の快適さのためのものであり、特に暖を提供するために利用される。
【０００６】
この種の衣類は、一般に、弾性ベルトを形成する上部、パンティ部を形成する中間部、及び第１のレッグ部と第２のレッグ部を形成する下部を備える。
【０００７】
利用可能な衣類のサイズの数が限られていると、衣類を非常に多様な使用者の形態に適合するようにすることができず、その結果この衣類を着用していて不快になるときがある。
【０００８】
確かに、大きすぎるタイツは滑り落ちるリスクがあり、小さすぎるタイツは履き心地が悪い。
【０００９】
衣類の保持を改善すべく、ＥＰ−Ａ−１００３１２９２は、異なる弾性を有する複数のセクションからなる弾性ベルトを有する衣類を開示している。
【００１０】
この種の衣類は、着用者の腰の周囲での保持を改善するものであるが、当該人物の形態に応じてずり落ちたり着用者を圧迫したりするリスクを依然として呈している。
【発明の概要】
【発明が解決しようとする課題】
【００１１】
本発明は、特に、着用者の形態に適合させることで保持及び快適性を与える衣類を提供することによって、これらの欠点を解決することを目的とする。
【課題を解決するための手段】
【００１２】
この目的のために、本発明は、ベルトを形成する少なくとも１つの上部及びパンティ部を形成する部分を含むタイプの身体の下側用の衣類に関し、本発明は、ベルトが、中心軸の周囲に延びる階段状の（または段階的な）環状の曲線形状を有し、軸方向上方に、着用者の関連するヒップ上方にフィットするように各々設計された少なくとも１つの第１の側部及び第２の側部、ならびに着用者の腹部の下に全体的に延びるように設計されている軸方向下部の前部を含むことを特徴とする。
【００１３】
このため、ベルトは解剖学的構造に合う形態を有し、タイツの保持を促すように着用者のヒップ上方に自然に配置される。
【００１４】
さらに、ベルトの前部は下方に下がり、着用者の腹部の下に自然に位置するようにして、下にずり落ちるのを防ぎ、着用者の快適性を改善する。
【００１５】
別の特徴によれば、ベルトの諸部分が異なる弾性定数を有し、その結果、ベルトの側部がベルトの前部が加える圧縮力より低い半径方向の圧縮力を着用者に加える。
【００１６】
この特徴により、ベルトは、とりわけ、異なる形態に適合することが可能になる。
【００１７】
同様に、ベルトは、前述の側部が加える圧縮力よりも大きい半径方向の圧縮力を着用者に加えるように設計される弾性定数を有する後部を有する。
【００１８】
別の態様では、パンティ部は、臀部用の背部と前部とを含み、背部は、着用者に前述の前部が加える圧縮力よりも低い半径方向の圧縮力を加えるように設計されている。
【００１９】
この特徴により快適性が得られ、衣類が着用者の形態に適合することが可能となる。
【００２０】
さらに、衣類は、パンティ部に連結される第１のレッグ部と第２のレッグ部を形成する下部を備え、パンティ部が、パンティ部を形成する部分と、第１のレッグ部及び第２のレッグ部それぞれとの間で、軸方向に介在する第１の支持バンドと第２の支持バンドとを備え、これらが着用者の臀部の下に配置されて、着用者の大腿部の上部に実質的に半径方向の締付力を加えて衣類の前述のレッグ部を支えるよう設計されている
【００２１】
大腿部周りの止血帯作用を回避するために、各支持バンドは概して、着用者の臀部の下に配置されて着用者の関連する大腿部の後ろに延びるように設計された半割（ハーフ）リングを形成する。
【００２２】
衣類はトリコットで作られ、使用するメッシュの種類を変えることによって、異なる弾性定数が得られる。
【００２３】
さらに、衣類は、対称の軸平面に沿ってそれぞれ対称的に設計された第１の半体（ハーフ、半分）と第２の半体を含み、第１の半体と第２の半体は第１のアセンブリ縁部と第２のアセンブリ縁部をそれぞれ画定し、各々が対称の平面に沿って軸方向に延び、パンティ部を形成する部分の中央で、前述のアセンブリ縁部は異なる弾性を有する前側のシーム（縫い目、継ぎ目）と背側のシームとによって衣類を形成するように互いに連結され、前側のシームは背側のシームの半径方向の圧縮力よりも大きな半径方向の圧縮力を加えるよう設計される。
【００２４】
この特徴は、衣類が着用者の形態、より具体的には臀部に適合することを可能にする。
【００２５】
この目的のために、前側のシームは、背側のシームのステッチ密度よりも低いステッチ密度を有する。
【００２６】
好ましい実施形態では、衣類はタイツである。
【００２７】
本発明の他の特徴及び利点は、以下の詳細な説明を読むと明らかになるであろう。この説明は、添付の図面に対してなされる言及を理解するためのものである。
【図面の簡単な説明】
【００２８】
【図１】本発明による、解剖学的構造に合うベルトと弾性の異なる部分とを有するタイツを示す概略的な背面図である。
【図２】図１のタイツの概略的な正面図である。
【図３】図１のタイツの概略的な側面図である。
【図４】タイツのベルトの詳細な斜視図である。
【図５】タイツのベルトの湾曲を示す側面図である。
【発明を実施するための形態】
【００２９】
説明及び特許請求の範囲を明確にするために、図面に示す三面体Ｌ、Ｖ、Ｔを基準とした縦（ｌｏｎｇｉｔｕｄｉｎａｌ）、垂直（ｖｅｒｔｉｃａｌ）及び横断（ｔｒａｎｓｖｅｒｓａｌ）という非限定的な用語を使用する。
【００３０】
本出願では、「ｕｐｐｅｒ（上））」、「ｌｏｗｅｒ（下）」、「ｂｏｔｔｏｍ（底）」、「ｔｏｐ（上）」、「ｖｅｒｔｉｃａｌ（垂直）」という用語やそれらの派生語は、要素または構成要素の位置または方向を示しており、この位置または方向は、着用者が水平な地面に立っているときを考慮したものである。
【００３１】
これらの図面すべてにおいて、同一または類似の参照符号は、同一または類似した本体または本体のセットを表している。
【００３２】
図１に示すトリコットタイツ１０は、好ましくは皮膚に接するようにして人が着用するよう設計されている。
【００３３】
タイツ１０は、ベルト１２を形成する上部から、パンティ部１４を形成する中間部、及びパンティ部１４に連結される第１のレッグ部１６ａと第２のレッグ部１６ｂを形成する下部へと、中心軸Ａに沿って軸方向に延在している。
【００３４】
タイツ１０は、第１の半体１８ａと第２の半体１８ｂを有し、これらはここでは垂直方向に延びる一般的な設計の軸対称平面Ｐに沿ってそれぞれ対称的に設計されている。
【００３５】
説明及び特許請求の範囲を明確にするために、同一または類似の要素には、同一の参照符号を付けており、タイツ１０の第１の半体１８ａを示す要素については「ａ」の文字が続き、タイツ１０の第２の半体を示す要素には「ｂ」の文字が続いている。
【００３６】
図２〜図５に見られるように、ベルト１２は、中心軸Ａの周りに延びる、軸方向に階段状の（または段階的な）環状の曲線形状を有する。
【００３７】
ベルト１２は、第１の側部２０ａと第２の側部２０ｂを含み、これらは中心軸Ａの周りに軸方向高部にあり、各々が着用者の関連するヒップの上方にフィットするように設計され、さらに前部２２を含み、これは概して着用者の腹部の下に延びるよう軸方向下部に配置される。
【００３８】
実際、図５を参照すると、ベルト１２は、着用者の形態に適合するように着用者の周りに軸方向に波状をしており、各側部２０ａ、２０ｂは着用者の関連するヒップの上方にフィットするように設計された、上方に湾曲する凸状のうねりを描く。
【００３９】
さらに、ベルト１２の各側部２０ａ、２０ｂは、ベルト１２の前部２２を連結するように軸方向下側に突き出る少なくとも１つの前部２４ａ、２４ｂを含む。
【００４０】
また、ベルト１２は、側部２０ａ、２０ｂに連結される背部２６を有する。
【００４１】
背部２６は、任意に前部２２の特性と同様の特性を有してもよい。例えば前部２４ａ、２４ｂの特性と任意に同一の特性を有し得る背部によって連結され、例えば軸方向に下側に突き出てベルト１２の背部２６を連結し、軸方向下部にあってもよい。
【００４２】
むろん、背部はまた、前部２２のこれらの特性を含まなくてもよく、軸方向で中立またはそれ以上であってもよく、及び／または側部２０ａ、２０ｂに直接連結してもよい。
【００４３】
本発明の別の態様によれば、ベルト１２の異なる諸部分２０ａ、２０ｂ、２２、２６は、異なる弾性定数を有し、その結果、ベルト１２の側部２０ａ、２０ｂは、ベルト１２の前部２２が加える圧縮力より低い半径方向の圧縮力を着用者に加える。
【００４４】
この目的のために、ベルト１２の側部２０ａ、２０ｂは、ベルト１２の周囲に沿って、前部２２の伸張性よりも高い伸張性を有する。
【００４５】
確かに、低弾性定数を有する、つまり張りつめているベルトの部分１２は、高弾性定数を有する、つまりほとんど張りつめておらず、より容易に伸縮可能であるベルトの部分よりも大きい半径方向の圧縮力を、着用者の身体の方へと加える。
【００４６】
この特徴は、着用者の腰の周りでのベルト１２の快適性と保持を増進する。
【００４７】
同様に、ベルト１２の背部２６は、側部２０ａ、２０ｂのそれぞれが加える圧縮力よりも大きい半径方向の圧縮力を着用者に加えるように設計された弾性定数を有する。
【００４８】
タイツ１０のパンティ部１４は、臀部用の背部２８と、前部３０とを含み、背部２８は、着用者に、前部が加える半径方向の圧縮力よりも低い半径方向の圧縮力を加えるように設計される。
【００４９】
換言すれば、背部２８は、前部３０よりも伸張性が大きい。
【００５０】
この特徴は、着用者の快適さを増進するのに役立ち、結果としてタイツ１０は多かれ少なかれ伸張することで異なる形態に適合する。
【００５１】
図２に見られるように、前部は、着用者の下腹部を全体的に覆う、ベルトに向かって広がる三角形を描き、パンティ部１４の残りの部分を背部２８が形成する。
【００５２】
本発明の別の態様によれば、タイツ１０のパンティ部１４は、パンティ部１４を形成する部分と、第１のレッグ部１６ａ及び第２のレッグ部１６ｂそれぞれとの間で、中心軸Ａに沿って軸方向に介在する第１の支持バンド３２ａと第２の支持バンド３２ｂとを備える。
【００５３】
支持バンド３２ａ及び３２ｂは、着用者の臀部の下に配置して、着用者の大腿部の上部に実質的に渡って半径方向の締付力を加えて、タイツ１０のレッグ部１６ａ、１６ｂを支え、それらが下にずり落ちるのを防止する。
【００５４】
この目的で、各支持バンド３２ａ、３２ｂは、着用者の大腿部を実質的に締付けるために、パンティ部１４の背部２８の伸張性よりも低い伸張性を有する。
【００５５】
図３に見られるように、各支持バンド３２ａ、３２ｂは、概して、垂直軸に沿って大腿部の後部の周りに延びる半割リングを形成する。
【００５６】
この半割リング形状により、関連するレッグ部１６ａ、１６ｂの支持を増進しながら、大腿部に対する止血帯作用を回避することができる。
【００５７】
指標として、使用するメッシュの種類を変えることによって、タイツ１０の諸部分の異なる弾性定数が得られる。
【００５８】
図１〜図３を参照すると、タイツ１０の第１の半体１８ａと第２の半体１８ｂは、それぞれ、アセンブリ縁部３４ａと第２のアセンブリ縁部３４ｂとを画定し、各縁部３４ａ、３４ｂは、パンティ部１４を形成する部分の中心に合わせて、対称の平面Ｐと中心軸Ａに沿って軸方向に延びる。
【００５９】
アセンブリ縁部３４ａ、３４ｂは、相互に連結して、弾性の異なる前側のシーム３６と背側のシーム３８とによって、最終形態のタイツ１０を形成する。
【００６０】
実際に、前側のシーム３６は、背側のシーム３８の半径方向の圧縮力よりも大きな半径方向の圧縮力を、着用者の身体に加えるように設計されている。
【００６１】
この目的のために、前側のシーム３６は、背側のシーム３８のステッチ密度よりもステッチ密度が低い。
【００６２】
この特徴によって、パンティ部１４の背部２８の快適性及び弾性が向上する。
【符号の説明】
【００６３】
Ａ          中心軸
Ｐ          軸対象平面
Ｌ          縦
Ｖ          垂直
Ｔ          横断
１０        下半身用衣類、タイツ
１２        上部ベルト部
１４        パンティ部
１６ａ      第１のレッグ部
１６ｂ      第２のレッグ部
１８ａ      第１の半体
１８ｂ      第２の半体
２０ａ      第１の側部
２０ｂ      第２の側部
２２        ベルト１２の前部
２４ａ      前部
２４ｂ      前部
２６        ベルト１２の背部
２８        パンティ部１４の背部
３０        パンティ部１４の前部
３２ａ      第１の支持バンド
３２ｂ      第２の支持バンド
３４ａ      第１のアセンブリ縁部
３４ｂ      第２のアセンブリ縁部
３６        前側のシーム
３８        背側のシーム
【図１】
2018502228.tif 000003
【図２】
2018502228.tif 000004
【図３】
2018502228.tif 000005
【図４】
2018502228.tif 000006
【図５】
2018502228.tif 000007
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
少なくとも１つの上部ベルト部（１２）と；
パンティ部（１４）を形成する部分と；を含むタイプの下半身用衣類（１０）であって、
前記少なくとも１つの上部ベルト部（１２）は、前記衣類（１０）の中心軸（Ａ）の周囲に延びる段階的な環状の曲線形状を有し、前記中心軸（Ａ）の周りで軸方向上方に配置された第１の側部（２０ａ）及び第２の側部（２０ｂ）と前記中心軸（Ａ）の周りで軸方向下方に配置された前部（２２）を少なくとも含み、
前記第１の側部（２０ａ）及び前記第２の側部（２０ｂ）は、前記衣類（１０）の着用者の関連するヒップ上方にフィットするように各々設計され、
前記前部（２２）は、前記着用者の腹部の下に全体的に延びるように設計されていることを特徴とする、
下半身用衣類（１０）。
【請求項２】
前記少なくとも１つの上部ベルト部（１２）は、異なる弾性定数を有し、
前記第１の側部（２０ａ）及び前記第２の側部（２０ｂ）は、前記少なくとも１つの上部ベルト部（１２）の前記前部（２２）が加える圧縮力より低い半径方向の圧縮力を前記着用者に加えることを特徴とする、
請求項１に記載の下半身用衣類（１０）。
【請求項３】
前記少なくとも１つの上部ベルト部（１２）は、前記第１の側部（２０ａ）及び前記第２の側部（２０ｂ）が加える圧縮力よりも大きい半径方向の圧縮力を前記着用者に加えるように設計された弾性定数を有する背部（２６）を有することを特徴とする、
請求項１〜２のいずれか１項に記載の下半身用衣類（１０）。
【請求項４】
前記パンティ部（１４）は、前記着用者の臀部用の背部（２８）と前部（３０）を有し、
前記背部（２８）は、前記着用者に、前記前部（３０）が加える圧縮力よりも低い半径方向の圧縮力を加えるように設計されていることを特徴とする、
請求項１〜３のいずれか１項に記載の下半身用衣類（１０）。
【請求項５】
前記パンティ部（１４）を形成する部分に連結される第１のレッグ部（１６ａ）及び第２のレッグ部（１６ｂ）を形成する下部を備え、
前記パンティ部（１４）を形成する部分は、前記パンティ部（１４）を形成する部分と、前記第１のレッグ部（１６ａ）及び前記第２のレッグ部（１６ｂ）それぞれとの間で、軸方向に介在する第１の支持バンド（３２ａ）及び第２の支持バンド（３２ｂ）を備え、
前記第１の支持バンド（３２ａ）及び前記第２の支持バンド（３２ｂ）は、前記着用者の臀部の下に配置されて、前記着用者の大腿部の上部に渡って実質的に半径方向の締付力を加えて、前記第１のレッグ部（１６ａ）及び前記第２のレッグ部（１６ｂ）を支えるよう設計されていることを特徴とする、
請求項１〜４のいずれか１項に記載の下半身用衣類（１０）。
【請求項６】
前記第１の支持バンド（３２ａ）及び前記第２の支持バンド（３２ｂ）は、全体的に、前記着用者の関連する脚の後部の周りに延びるように、前記着用者の臀部の下に配置されるように設計された半割リングを形成することを特徴とする、
請求項５に記載の下半身用衣類（１０）。
【請求項７】
前記衣類（１０）は、トリコットで作られ、使用するメッシュの種類を変えることによって、異なる弾性定数が得られることを特徴とする、
請求項１〜６のいずれか１項に記載の下半身用衣類（１０）。
【請求項８】
前記衣類（１０）は、対称の軸平面（Ｐ）に沿ってそれぞれ対称的に設計された第１の半体（１８ａ）及び第２の半体（１８ｂ）から形成され、
前記第１の半体（１８ａ）及び前記第２の半体（１８ｂ）は、第１のアセンブリ縁部（３４ａ）及び第２のアセンブリ縁部（３４ｂ）をそれぞれ画定し、各々が前記対称の軸平面（Ｐ）に沿って軸方向に延び、前記パンティ部（１４）を形成する部分の中央で、前記第１のアセンブリ縁部（３４ａ）及び前記第２のアセンブリ縁部（３４ｂ）は、異なる弾性を有する前側のシーム（３６）と背側のシーム（３８）とによって前記衣類（１０）を形成するように互いに連結され、
前記前側のシーム（３６）は、前記背側のシーム（３８）の半径方向の圧縮力よりも大きな半径方向の圧縮力を加えるよう設計されることを特徴とする、
請求項１〜７のいずれか１項に記載の下半身用衣類（１０）。
【請求項９】
前記前側のシーム（３６）は、前記背側のシーム（３８）のステッチ密度よりも低いステッチ密度を有することを特徴とする、
請求項８に記載の下半身用衣類（１０）。
【請求項１０】
前記衣類（１０）がタイツであることを特徴とする、
請求項１〜９のいずれか１項に記載の下半身用衣類（１０）。
【請求項１１】
前記第１の側部（２０ａ）及び前記第２の側部（２０ｂ）は、各々が前記着用者の関連するヒップの上方にフィットするように設計された、上方に湾曲する凸状のうねりを形成することを特徴とする、
請求項１〜１０のいずれか１項に記載の下半身用衣類（１０）。
【請求項１２】
前記第１の側部（２０ａ）は、前記第１の側部（２０ａ）を前記前部（２２）に連結するように軸方向下側に突き出る第１の前部（２４ａ）を備え、
前記第２の側部（２０ｂ）は、前記第２の側部（２０ｂ）を前記前部（２２）に接続するように軸方向下側に突き出る第２の前部（２４ｂ）を備える、
請求項１〜１１のいずれか１項に記載の下半身用衣類（１０）。
【請求項１３】
前記第１の側部（２０ａ）及び前記第２の側部（２０ｂ）は、前記少なくとも１つの上部ベルト部（１２）の周囲に沿って、前記前部（２２）の伸張性よりも高い伸張性を有することを特徴とする、
請求項１〜１２のいずれか１項に記載の下半身用衣類（１０）。
【請求項１４】
前記背部（２８）は、前記前部（３０）の伸張性よりも大きい伸張性を有することを特徴とする、
請求項４〜１３のいずれか１項に記載の下半身用衣類（１０）。
【請求項１５】
前記第１の支持バンド（３２ａ）及び前記第２の支持バンド（３２ｂ）は、前記着用者の大腿部を実質的に締め付けるために、前記パンティ部（１４）の前記背部（２８）の伸張性よりも低い伸張性を有することを特徴とする、
請求項５〜１４のいずれか１項に記載の下半身用衣類（１０）。
【手続補正２】
【補正対象書類名】明細書
【補正対象項目名】００６２
【補正方法】変更
【補正の内容】
【００６２】
この特徴によって、パンティ部１４の背部２８の快適性及び弾性が向上する。
［第１の局面］
少なくとも１つの上部ベルト部（１２）及びパンティ部（１４）を形成する部分を含むタイプの下半身用衣類（１０）であって、
前記ベルト（１２）が、中心軸（Ａ）の周囲に延びる段階的な環状の曲線形状を有し、
軸方向上方に、着用者の関連するヒップ上方にフィットするように各々設計された少なくとも第１の側部（２０ａ）及び第２の側部（２０ｂ）と、軸方向下部に、前記着用者の腹部の下に全体的に延びるように設計されている前部（２２）を含むことを特徴とする、
前記下半身用衣類（１０）。
［第２の局面］
前記ベルト（１２）の諸部分が、異なる弾性定数を有し、
前記ベルト（１２）の前記側部（２０ａ、２０ｂ）が、前記ベルト（１２）の前記前部（２２）が加える圧縮力より低い半径方向の圧縮力を前記着用者に加えることを特徴とする、
第１の局面に記載の下半身用衣類（１０）。
［第３の局面］
前記ベルト（１２）が、前記側部（２０ａ、２０ｂ）が加える圧縮力よりも大きい半径方向の圧縮力を前記着用者に加えるように設計された弾性定数を有する背部（２６）を有することを特徴とする、
先行局面のいずれかに記載の下半身用衣類（１０）。
［第４の局面］
前記パンティ部（１４）は、臀部用の背部（２８）と前部（３０）とを有し、
前記背部（２８）は、前記着用者に、前記前部（３０）が加える圧縮力よりも低い半径方向の圧縮力を加えるように設計されていることを特徴とする、
先行局面のいずれかに記載の下半身用衣類（１０）。
［第５の局面］
前記パンティ部（１４）に連結される第１のレッグ部（１６ａ）と第２のレッグ部（１６ｂ）を形成する下部を備え、
前記パンティ部（１４）が、前記パンティ部（１４）を形成する前記部分と、前記第１のレッグ部（１６ａ）及び前記第２のレッグ部（１６ｂ）それぞれとの間で、軸方向に介在する第１の支持バンド（３２ａ）と第２の支持バンド（３２ｂ）とを備え、
これらが前記着用者の前記臀部の下に配置されて、前記着用者の大腿部の上部に実質的に渡って半径方向の締付力を加えて前記衣類（１０）の前記レッグ部を支えるよう設計されていることを特徴とする、
先行局面のいずれかに記載の下半身用衣類（１０）。
［第６の局面］
各支持バンド（３２ａ、３２ｂ）が、全体的に、前記着用者の関連する脚の後部の周りに延びるように、前記着用者の前記臀部の下に配置されるように設計された半割リングを形成することを特徴とする、
第５の局面に記載の下半身用衣類（１０）。
［第７の局面］
トリコットで作られ、使用するメッシュの種類を変えることによって、異なる弾性定数が得られることを特徴とする、
先行局面のいずれかに記載の下半身用衣類（１０）。
［第８の局面］
対称の軸平面（Ｐ）に沿ってそれぞれ対称的に設計された第１の半体（１８ａ）及び第２の半体（１８ｂ）を含み、
前記第１の半体（１８ａ）と前記第２の半体（１８ｂ）は、第１のアセンブリ縁部（３４ａ）と第２のアセンブリ縁部（３４ｂ）をそれぞれ画定し、各々が前記対称の平面（Ｐ）に沿って軸方向に延び、前記パンティ部（１４）を形成する部分の中央で、前記アセンブリ縁部は異なる弾性を有する前側のシーム（３６）と背側のシーム（３８）とによって前記衣類（１０）を形成するように互いに連結され、
前記前側のシーム（３６）は、前記背側のシーム（３８）の半径方向の圧縮力よりも大きな前記半径方向の圧縮力を加えるよう設計されることを特徴とする、
先行局面のいずれかに記載の下半身用衣類（１０）。
［第９の局面］
前記前側のシーム（３６）は、前記背側のシーム（３８）のステッチ密度よりも低いステッチ密度を有することを特徴とする、
先行局面のいずれかに記載の下半身用衣類（１０）。
［第１０の局面］
前記衣類（１０）がタイツであることを特徴とする、
先行局面のいずれかに記載の下半身用衣類（１０）。
【国際調査報告】
2018502228.tif 000008
2018502228.tif 000009